(57)【要約】【課題】複雑な配線を必要とせず、直列ユニット側から増幅器へ電源を供給でき、増幅器の追加設置を容易に行うことができる直列ユニットを提供する。【解決手段】アンテナにより受信したテレビ信号は、ブースタにより増幅し、電源部からの直流電源と重畳して直列ユニット３１へ出力する。直列ユニット３１は、入力されたテレビ信号をテレビ出力端子４２ａ、４２ｂに分配出力すると共に、直流電源をチョークコイル４３ａ及びスイッチ４９ａ、４９ｂを介してテレビ出力端子４２ａ、４２ｂへ出力する。テレビ出力端子４２ａ、４２ｂには、増幅器又は同軸ケーブルが装着可能であり、同軸ケーブルが接続された場合はスイッチ４９ａ、４９ｂをオフしてテレビ出力端子４２ａ、４２ｂからテレビ信号のみを出力し、増幅器が装着された場合は、スイッチ４９ａ、４９ｂをオンしてテレビ出力端子４２ａ、４２ｂからテレビ信号と直流電源を重畳して出力する。【選択図】      図２
2009301955.tif 000002
【特許請求の範囲】
【請求項１】
テレビ信号と直流電源が重畳して入力される入力端子と、前記入力端子に入力されたテレビ信号を直流電源から分離して取り出す第１の分離手段と、前記入力端子に入力された直流電源をテレビ信号から分離して取り出す第２の分離手段と、前記第１の分離手段により分離されたテレビ信号を外部に出力するテレビ出力端子と、前記第２の分離手段と前記テレビ出力端子との間に設けられ、通常時はオフ状態に保持されるスイッチと、前記テレビ出力端子への接続機器が増幅器であるか否かを検知し、該接続機器が増幅器である場合に前記スイッチをオン状態に切換えて前記第２の分離手段により分離された直流電源を前記テレビ出力端子に出力するスイッチ切換手段とを具備することを特徴とするテレビ受信用の接続端子。
【発明の詳細な説明】
【技術分野】
【０００１】
本発明は、例えばテレビ放送の共同受信システムにおいて、各室の壁面等に設置されるテレビ受信用の接続端子に係り、特にアンテナにより受信したテレビ信号を室内に設置されているテレビ受像機等に同軸ケーブルを介して供給するテレビ受信用の接続端子に関する。
【背景技術】
【０００２】
従来、例えばテレビ放送の共同受信システムにおいては、例えば図５に示すように各室の壁面等にテレビ受信用の接続端子として直列ユニット若しくはテレビ端子１１を設置し、屋上等に設置されたアンテナ１０から同軸ケーブルや分配器等を介して前記直列ユニット若しくはテレビ端子１１に接続している。そして、室内においては、上記直列ユニット若しくはテレビ端子１１に同軸ケーブル１２及び分配器１３を介してテレビ受像機１４やチューナ付ビデオ録画機（ＶＲ）１５等を接続し、アンテナ１０により受信したテレビ信号をテレビ受像機１４やチューナ付ビデオ録画機１５等に供給している。しかし、直列ユニット若しくはテレビ端子１１に接続する機器が増加したり、接続機器までの距離が長い場合などでは、同軸ケーブル１２等により伝送されるテレビ信号が減衰してしまうため、直列ユニット若しくはテレビ端子１１と分配器１３との間に小電力利得の高周波増幅器であるブースタアンプ１６を追加設置してテレビ信号を増幅している。
【０００３】
また、本発明に関連する公知技術として、双方向ＣＡＴＶシステムの各加入者宅に設置される直列ユニットにおいて、ＣＡＴＶ加入者からの上り信号（１０〜５０ＭＨｚ）の周波数をカットする切換スイッチを備え、加入者が双方向システムを必要としない場合には、上記切換スイッチを切換えて上り信号の１０〜５０ＭＨｚの周波数をカットし、流合雑音の影響を防止するようにした技術が知られている（例えば、特許文献１参照。）。
【特許文献１】特開２０００−４８９１８号公報
【発明の開示】
【発明が解決しようとする課題】
【０００４】
上記のように直列ユニット若しくはテレビ端子１１から同軸ケーブル１２を介して出力されるテレビ信号に対してブースタアンプ１６を追加設置する場合、配線の途中にブースタアンプ１６が設置されることとなり、配線が繁雑になると共にブースタアンプ１６に対する電源の設置が必要になる。このためブースタアンプ１６の追加設置が非常に面倒であった。
【０００５】
本発明は上記の課題を解決するためになされたもので、複雑な配線を必要とせず、テレビ受信用の接続端子側から増幅器へ電源を供給でき、増幅器の追加設置を容易に行うことができるテレビ受信用の接続端子を提供することを目的とする。
【課題を解決するための手段】
【０００６】
第１の発明に係るテレビ受信用の接続端子は、テレビ信号と直流電源が重畳して入力される入力端子と、前記入力端子に入力されたテレビ信号を直流電源から分離して取り出す第１の分離手段と、前記入力端子に入力された直流電源をテレビ信号から分離して取り出す第２の分離手段と、前記第１の分離手段により分離されたテレビ信号を外部に出力するテレビ出力端子と、前記第２の分離手段と前記テレビ出力端子との間に設けられ、通常時はオフ状態に保持されるスイッチと、前記テレビ出力端子への接続機器が増幅器であるか否かを検知し、該接続機器が増幅器である場合に前記スイッチをオン状態に切換えて前記第２の分離手段により分離された直流電源を前記テレビ出力端子に出力するスイッチ切換手段とを具備することを特徴とする。
【０００７】
第２の発明に係るテレビ受信用の接続端子は、テレビ信号と直流電源が重畳して入力される入力端子と、前記入力端子に入力されたテレビ信号を直流電源から分離して取り出す第１の分離手段と、前記入力端子に入力された直流電源をテレビ信号から分離して取り出す第２の分離手段と、前記第１の分離手段により分離されたテレビ信号と前記第２の分離手段により分離された直流電源を重畳して次段の直流ユニットに出力する出力端子と、前記第１の分離手段により分離されたテレビ信号を外部に出力するテレビ出力端子と、前記第２の分離手段と前記テレビ出力端子との間に設けられ、通常時はオフ状態に保持されるスイッチと、前記テレビ出力端子への接続機器が増幅器であるか否かを検知し、該接続機器が増幅器である場合に前記スイッチをオン状態に切換えて前記第２の分離手段により分離された直流電源を前記テレビ出力端子に出力するスイッチ切換手段とを具備することを特徴とする。
【０００８】
第３の発明は、前記第１又は第２の発明に係るテレビ受信用の接続端子において、前記スイッチ切換手段は、前記増幅器の装着部にスイッチ切換用の透孔を備え、前記増幅器の装着時に該増幅器に設けられたスイッチ切換用部材が前記透孔に挿入されたことを検知して前記スイッチをオン状態に切換えることを特徴とする。
【０００９】
第４の発明は、前記第１又は第２の発明に係るテレビ受信用の接続端子に、着脱自在に装着される増幅器において、該増幅器は、テレビ受信用の接続端子に装着された際、電源重畳をオンとするスイッチ切換用部材が具備されていることを特徴とする。
【発明の効果】
【００１０】
本発明によれば、増幅器の追加設置がきわめて容易であると共に、テレビ受信用の壁面設置タイプの接続端子例えば直列ユニット若しくはテレビ端子に増幅器を装着した際に直列ユニット若しくはテレビ端子内に設けたスイッチがオン状態に切換えられて直流電源が増幅器に供給されるので、増幅器専用の電源部を設ける必要がなく、配線を簡易化することができる。また、直列ユニット若しくはテレビ端子に増幅器を装着しない場合には、スイッチはオフ状態に保持され、直列ユニット若しくはテレビ端子のテレビ出力端子から直流電源が出力されることはなく、安全な状態に保持される。
【発明を実施するための最良の形態】
【００１１】
以下、図面を参照して本発明の一実施形態を説明する。
【００１２】
図１は例えばテレビ放送の共同受信システムにおいて、複数のアンテナにより受信したテレビ信号をブースタにより増幅し、複数のテレビ受信用の接続端子例えば直列ユニットに分配する場合の全体のシステム構成図である。
【００１３】
図１において、２１はＶＨＦアンテナ、２２はＵＨＦアンテナ、２３はＢＳ／ＣＳアンテナで、例えばビルの屋上等に設置される。ＶＨＦアンテナ２１で受信されたＶＨＦ帯のテレビ信号及びＵＨＦアンテナ２２で受信されたＵＨＦ帯のテレビ信号は、混合器２４により混合されてブースタ２５に入力される。このブースタ２５は、上記アンテナ直下においてアンテナ支柱等に取付けられる。また、上記ブースタ２５には、ＢＳ／ＣＳアンテナ２３で受信されたＢＳ（Broadcasting Satellite）放送及びＣＳ（Communication Satellite）放送のテレビ受信が入力される。更にブースタ２５には、電源部２６から例えばＤＣ１５Ｖの電圧が動作電源として供給される。上記電源部２６は、例えば商用交流電源を整流してＤＣ１５Ｖの直流電源を生成し、動作電源としてブースタ２５に供給している。
【００１４】
上記ブースタ２５は、電源部２６からの供給電源によって動作し、混合器２４で混合されたＶＨＦ帯及びＵＨＦ帯のテレビ信号、並びにＢＳ／ＣＳアンテナ２３で受信されたＢＳ／ＣＳのテレビ信号を増幅し、電源部２６から供給されるＤＣ１５Ｖの直流電源と重畳して１本の同軸ケーブル２７を介して出力する。
【００１５】
上記ブースタ２５から出力されるテレビ信号及び直流電源は、同軸ケーブル２７により屋内に導かれ、分配器２８により複数の系統に分配され、それぞれ同軸ケーブル２９ａ、２９ｂ、２９ｃ、…を介して出力される。各系統の同軸ケーブル２９ａ、２９ｂ、２９ｃ、…は、各室内の壁面等に設置されている系統別の直列ユニット３１Ａ１、３１Ａ２、…、３１Ｂ１、３１Ｂ２、…、３１Ｃ１、３１Ｃ２、…に接続される。上記直列ユニット３１Ａ１、３１Ａ２、…、３１Ｂ１、３１Ｂ２、…、３１Ｃ１、３１Ｃ２、…は、各系統別に直列に接続される。
【００１６】
次に上記直列ユニット３１Ａ１、３１Ａ２、…、３１Ｂ１、３１Ｂ２、…、３１Ｃ１、３１Ｃ２、…の回路構成について図２を参照して説明する。各直列ユニット３１Ａ１、３１Ａ２、…、３１Ｂ１、３１Ｂ２、…、３１Ｃ１、３１Ｃ２、…は同様の構成であるので、直列ユニット３１として回路構成を説明する。なお、図２は、２つのテレビ出力端子を備えた直列ユニットの回路構成例を示している。
【００１７】
直列ユニット３１は、分配器２８により分配された信号あるいは前段の直列ユニットからの信号が入力される入力端子４１ａ、次段に配置される直列ユニットへ信号を出力する出力端子４１ｂ、テレビ受像機へテレビ信号を出力するテレビ出力端子４２ａ、４２ｂを備えている。
【００１８】
上記入力端子４１ａと出力端子４１ｂとの間には、テレビ信号を阻止して直流電源を通過させるチョークコイル４３ａ、４３ｂの直列回路と、直流電源阻止用のコンデンサ４４、テレビ信号を分岐する分岐トランス４５の１次巻線４５ａ及び直流電源阻止用のコンデンサ４６からなる直列回路が並列に設けられる。
【００１９】
上記分岐トランス４５は、１次巻線４５ａ、２次巻線４５ｂ、３次巻線４５ｃ、４次巻線４５ｄからなり、２次巻線４５ｂの一端は接地され、３次巻線４５ｃの一端は１次巻線４５ａとコンデンサ４６との接続点に接続される。また、２次巻線４５ｂと３次巻線４５ｃの他端は共通に接続される。４次巻線４５ｄは、一端が接地され、他端と接地間に分配トランス４７の１次巻線４７ａが接続される。分配トランス４７の２次巻線４７ｂは、両端が直流電源阻止用のコンデンサ４８ａ、４８ｂを介してテレビ出力端子４２ａ、４２ｂに接続される。
【００２０】
上記分岐トランス４５は、入力端子４１ａに入力されたテレビ信号を出力端子４１ｂ側と分配トランス４７側とに分岐すると共に、テレビ出力端子４２ａ、４２ｂに接続されるテレビ受像機等の外部機器からのノイズ成分を阻止し、入力端子４１ａ側には出力しないように構成されている。
【００２１】
また、上記チョークコイル４３ａ、４３ｂの接続点とテレビ出力端子４２ａ、４２ｂとの間には、プッシュ式のスイッチ４９ａ、４９ｂが設けられる。上記各スイッチ４９ａ、４９ｂは、一端がチョークコイル４３ａ、４３ｂの接続点に共通に接続され、他端かそれぞれテレビ出力端子４２ａ、４２ｂに接続される。上記スイッチ４９ａ、４９ｂは、常時は接点がオフ（ＯＦＦ）しており、切換突部が外部から押されると、押されている間接点がオン（ＯＮ）し、チョークコイル４３ａ、４３ｂの接続点とテレビ出力端子４２ａ、４２ｂとの間を接続するようになっている。すなわち、スイッチ４９ａ、４９ｂがオンした際に、入力端子４１ａに供給されている直流電源がチョークコイル４３ａ及びスイッチ４９ａ、４９ｂを介してテレビ出力端子４２ａ、４２ｂに供給され、テレビ信号に重畳されるようになっている。上記テレビ出力端子４２ａ、４２ｂには、テレビ信号をテレビ受像機等に伝送するための同軸ケーブル、あるいはテレビ信号を増幅するブースタアンプ（詳細は後述する）が選択的に接続される。
【００２２】
なお、最終段に設置される直列ユニット３１においては、チョークコイル４３ｂ及び出力端子４１ｂ等は特に設けなくても良い。
【００２３】
図３（ａ）、（ｂ）は上記直列ユニット３１の外観構成を示すもので、（ａ）は正面図、（ｂ）は斜視図である。また、図３（ｃ）は直列ユニット３１に必要に応じて装着される増幅器の外観構成例を示す側面図である。
【００２４】
直列ユニット３１は、図３（ａ）、（ｂ）に示すようにパネル５１の前面にテレビ出力端子４２ａ、４２ｂを備えている。テレビ出力端子４２ａ、４２ｂは、同軸ケーブル接続用の接栓５２を用いて構成したもので、パネル５１に設けた円筒状の穴５３内に配置される。この穴５３の底面には、接栓５２の例えば左右の両側に例えば円状のスイッチ切換用透孔５４ａ、５４ｂが設けられる。上記パネル５１の背面側には、上記スイッチ切換用透孔５４ａ、５４ｂに対応する位置にスイッチ４９ａ、４９ｂが配置され、外部から上記スイッチ切換用透孔５４ａ、５４ｂを介してスイッチ４９ａ、４９ｂの切換突部を押圧してオン／オフ操作できるようになっている。この場合、スイッチ４９ａ、４９ｂは、切換突部が押圧されるとオン動作し、押圧が解除されるとオフ動作する。
【００２５】
上記テレビ出力端子４２ａ、４２ｂを構成する接栓５２には、同軸ケーブルあるいは図３（ｃ）に示すテレビ信号増幅用のブースタアンプ６０が接続される。このブースタアンプ６０は、例えば円筒状のケース６１内に収納されており、ケース６１の一端に上記直列ユニット３１の接栓５２に装着するための入力用接栓６２が設けられ、他端に同軸ケーブル接続用の出力用接栓６４が設けられる。入力用接栓６２は、例えば簡易型の接栓であり、円筒状の外導体６３の中心軸に接続ピン（図示せず）が設けられている。また、入力用接栓６２は、例えば外導体６３の下側にスリット（図示せず）を設けて外導体６３に弾性力を与え、直列ユニット３１の接栓５２に被せて押圧することにより装着できるようになっている。
【００２６】
また、ケース６１の一端、即ち入力用接栓６２が設けられている側には、該入力用接栓６２の左右の両側において、上記直列ユニット３１のパネル５１に設けられたスイッチ切換用透孔５４ａ、５４ｂに対応する位置に例えば円柱状のスイッチ切換用突起６５ａ、６５ｂが設けられる。このスイッチ切換用突起６５ａ、６５ｂは、スイッチ切換用透孔５４ａ、５４ｂ内に挿入できる大きさに形成され、スイッチ切換用透孔５４ａ、５４ｂ内に挿入された際、その先端がスイッチ４９ａ、４９ｂの切換突部を押圧してスイッチをオン動作させる。
【００２７】
上記スイッチ切換用突起６５ａ、６５ｂが、スイッチ切換用透孔５４ａ、５４ｂの位置に容易に挿入できるように上記円筒状の穴５３にキー溝５５、またケース６１の入力接栓側の外周部の先端部にキー部５６を設けてブースタアンプ６０の挿入時のガイドとするようにしている。また、ケース６１の外周部に電源表示部６６を設けている。
【００２８】
図４は、上記ブースタアンプ６０の回路構成例を示す図である。入力端子である入力用接栓６２と出力端子である出力用接栓６４との間に、直流電源阻止用のコンデンサ７１、フィルタ７２、増幅部７３、直流電源阻止用のコンデンサ７４が直列に接続される。上記フィルタ７２及び増幅部７３における帯域幅等の仕様は、接続機器であるテレビ受像機やチューナ付ビデオ録画機等の機能に応じて設定される。
【００２９】
また、上記入力用接栓６２は、チョークコイル７５を介して増幅部７３の電源供給端子に接続される。上記チョークコイル７５は、入力用接栓６２に入力されるテレビ信号を阻止し、直流電源を増幅部７３に動作電源として供給する。
【００３０】
次に上記のように構成された直列ユニット３１の動作を説明する。
【００３１】
図１に示すブースタ２５は、ＶＨＦアンテナ２１、ＵＨＦアンテナ２２で受信されたＶＨＦ／ＵＨＦ帯のテレビ受信、及びＢＳ／ＣＳアンテナ２３で受信されたＢＳ／ＣＳの衛星放送を増幅すると共に、これらのテレビ信号と電源部２６から供給されるＤＣ１５Ｖの直流電源とを重畳し、同軸ケーブル２７を介して分配器２８へ出力する。分配器２８は、ブースタ２５から送られてくるテレビ信号及び直流電源を分配し、同軸ケーブル２９ａ、２９ｂ、２９ｃ、…を介して系統別に直列ユニット３１（３１Ａ１、３１Ａ２、…、３１Ｂ１、３１Ｂ２、…、３１Ｃ１、３１Ｃ２、…）に出力する。
【００３２】
直列ユニット３１は、図２に示すように分配器２８で分配されたテレビ信号及び直流電源が入力端子４１ａに供給されると、テレビ信号については分岐トランス４５により出力端子４１ｂと分配トランス４７とに分岐し、直流電源についてはチョークコイル４３ａ、４３ｂを介して出力端子４１ｂへ出力する。従って、出力端子４１ｂからはテレビ信号と直流電源が重畳されて次段の直列ユニットへ送られる。
【００３３】
また、分配トランス４７は、分岐トランス４５により分岐されたテレビ信号を２分配してテレビ出力端子４２ａ、４２ｂへ出力する。このときテレビ出力端子４２ａ、４２ｂ（接栓）に同軸ケーブルが接続されていれば、スイッチ４９ａ、４９ｂがオフ状態となっており、テレビ出力端子４２ａ、４２ｂには直流電源は供給されない。このためテレビ出力端子４２ａ、４２ｂからはテレビ信号のみが出力され、分配器を介してテレビ受像機やチューナ付ビデオ録画機等の接続機器に供給される。
【００３４】
しかし、例えば一方のテレビ出力端子４２ａに図３（ｃ）に示すブースタアンプ６０を装着した場合、ブースタアンプ６０の入力端側に設けられたスイッチ切換用突起６５ａ、６５ｂがテレビ出力端子４２ａのスイッチ切換用透孔５４ａ、５４ｂ内に挿入され、スイッチ４９ａの切換突部を押圧してスイッチをオンさせる。この結果、直列ユニット３１の入力端子４１ａに供給されている直流電源がチョークコイル４３ａ及びスイッチ４９ａを介してテレビ出力端子４２ａに供給される。従って、テレビ出力端子４２ａからは、テレビ信号と直流電源が重畳されて出力され、ブースタアンプ６０に供給される。
【００３５】
ブースタアンプ６０は、図４に示すように入力用接栓６２に供給されるテレビ信号をコンデンサ７１及びフィルタ７２を介して取り出し、増幅部７３に入力する。一方、入力用接栓６２に供給される直流電源は、チョークコイル７５を介して増幅部７３の電源端子に供給されると共に、更に電源の通電を確認するための表示回路７６に供給される。
【００３６】
増幅部７３は、電源端子に供給される直流電源によって動作し、上記入力用接栓６２からコンデンサ７１及びフィルタ７２を介して入力されるテレビ信号を増幅し、コンデンサ７４を介して出力用接栓６４から出力する。この出力用接栓６４から出力されるテレビ信号は、同軸ケーブル及び分配器を介してテレビ受像機やチューナ付ビデオ録画機等の接続機器へ送られる。
【００３７】
上記実施形態で示したようにブースタアンプ６０は、入力用接栓６２を利用して直列ユニット３１に簡単に装着することができる。また、直列ユニット３１にブースタアンプ６０を装着すると、直列ユニット３１のスイッチ４９ａ、４９ｂがオン状態となり、ブースタ２５から送られてくる直流電源が直列ユニット３１を介してブースタアンプ６０に供給されるので、ブースタアンプ専用の電源部を設ける必要がなく、配線を簡易化することができる。このためブースタアンプ６０の追加設置がきわめて容易である。また、直列ユニット３１にブースタアンプ６０を装着しない場合には、スイッチ４９ａ、４９ｂはオフ状態に保持され、直列ユニット３１のテレビ出力端子４２ａ、４２ｂから直流電源が出力されることはなく、安全な状態に保持される。
【００３８】
なお、上記実施形態では、直列ユニット３１に２つのテレビ出力端子４２ａ、４２ｂを設けた場合について示したが、１つのテレビ出力端子を設ける場合であっても同様にして実施し得るものである。
【００３９】
また、上記実施形態では、直列ユニット３１のテレビ出力端子４２ａ、４２ｂ部分にそれぞれ２つのスイッチ切換用透孔５４ａ、５４ｂを設けると共に、ブースタアンプ６０側にも２つのスイッチ切換用突起６５ａ、６５ｂを設けた場合について示したが、スイッチ切換用透孔及びスイッチ切換用突起を１つずつ設けても同様の動作を行わせることができる。
【００４０】
また、上記実施形態では、テレビ共同受信システムにおける直列ユニットに実施した場合について示したが、一般家庭においてテレビ放送を受信する場合の直列ユニットとしても使用し得るものである。
【００４１】
また、分配回路を含むテレビ端子などにも、本発明の実施形態の構成が適用できることは明らかである。
【００４２】
本発明は、上記実施形態そのままに限定されるものではなく、実施段階ではその要旨を逸脱しない範囲で構成要素を変形して具体化できるものである。
【図面の簡単な説明】
【００４３】
【図１】本発明の一実施形態に係るテレビ共同受信システムの構成例を示す図である。
【図２】同実施形態における直列ユニットの回路構成図である。
【図３】（ａ）は同実施形態における直列ユニットの外観構成を示す正面図、（ｂ）は同直列ユニットの外観構成を示す斜視図、（ｃ）は直列ユニットに必要に応じて装着される増幅器の外観構成を示す側面図である。
【図４】同実施形態における増幅器の回路構成図である。
【図５】従来における直列ユニットと電子機器の接続例を示す図である。
【符号の説明】
【００４４】
２１…ＶＨＦアンテナ、２２…ＵＨＦアンテナ、２３…ＢＳ／ＣＳアンテナ、２４…混合器、２５…ブースタ、２６…電源部、２７…同軸ケーブル、２８…分配器、２９ａ、２９ｂ…同軸ケーブル、３１、３１Ａ１、３１Ａ２、…、３１Ｂ１、３１Ｂ２、…、３１Ｃ１、３１Ｃ２、…、…直列ユニット、４１ａ…入力端子、４１ｂ…出力端子、４２ａ．４２ｂ…テレビ出力端子、４３ａ、４３ｂ…チョークコイル、４４…コンデンサ、４５…分岐トランス、４５ａ〜４５ｄ…分岐トランスの１次〜４次巻線、４６…コンデンサ、４７…分配トランス、４７ａ…分配トランスの１次巻線、４７ｂ…分配トランスの２次巻線、４８ａ、４８ｂ…コンデンサ、４９ａ、４９ｂ…スイッチ、５１…直列ユニットのパネル、５２…接栓、５３…パネルに設けられた穴、５４ａ、５４ｂ…スイッチ切換用透孔、５５…キー溝、５６…キー部、６０…ブースタアンプ、６１…ブースタアンプのケース、６２…入力用接栓、６３…外導体、６４…出力用接栓、６５ａ、６５ｂ…スイッチ切換用突起、６６…電源表示部、７１…コンデンサ、７２…フィルタ、７３…増幅部、７４…コンデンサ、７５…チョークコイル、７６…電源の通電を確認するための表示回路。
【図１】
2009301955.tif 000003
【図２】
2009301955.tif 000004
【図３】
2009301955.tif 000005
【図４】
2009301955.tif 000006
【図５】
2009301955.tif 000007